(57)【要約】      （修正有）【課題】使用安全性の向上を図ることができる窓ブラインドの制御装置を提供する。【解決手段】ハウジング２は、前後方向の軸Ｘに互いに離間して配置される前側取付座３と後側取付座４とを有する。ローラー５は、前側取付座３と後側取付座４との間に軸Ｘを中心として回転可能に配置されている。操作コードは、ローラー５を軸Ｘを中心として回転させるようにローラーにループ状に取り付けられている。連結機構７は、前側取付座３とローラー５との間に回転可能に配置されている。操作コードが強く引っ張られた時、連結が解除され、ローラーはハウジングに配置された駆動位置から、ハウジングから離れる離脱位置に移動する。【選択図】図３
0003215259.tif 000002
【実用新案登録請求の範囲】
【請求項１】
窓ブラインドのシャフトの前後方向に沿う軸を中心としての回転を駆動制御する制御装置であって、
前記前後方向に互いに離間して配置される前側取付座と後側取付座とを有するハウジングと、
前記前側取付座と前記後側取付座との間に前記軸を中心として回転可能に配置され、前記後側取付座に解除可能且つ回転可能に連結されたローラーと、
前記ローラーを前記軸を中心として回転させるように前記ローラーにループ状に取り付けられた操作コードと、
前記前側取付座と前記ローラーとの間に回転可能に配置された連結機構であって、前記シャフトを回転させるように前記シャフトと連結されて設けられた前方連結部材と、前記ローラーと連結された後方連結部材と、前記後方連結部材に前記軸に沿った後向き弾力を与える弾性部材とを有し、前記後方連結部材が前記弾性部材による弾力によって前記前方連結部材に対して前記前後方向に沿って移動可能に、且つ、前記ローラーとの連結が解除可能にされ、また、前記後方連結部材が回転され、前記前後方向に沿って移動可能且つ前記軸を中心として回転不能にされていることにより、前記ローラーが回転する際、前記前方連結部材が連動するよう同期して回転される前記連結機構と、を備え、
前記連結機構は、前記ローラーが前記ハウジングに対して連結され、前記操作コードに下方への引き力が付与された時、前記操作コードによって前記ローラーが回転され、前記ローラーの回転で前記連結機構と前記シャフトが連動して回転する前記ローラーが前記ハウジングに配置された駆動位置から、前記後方連結部材が前記弾性部材による後向き弾力に抗して前記前方連結部材へ前方に動かされ、前記後方連結部材、前記後側取付座及び前記ローラーの連結が解除され、前記ローラーが前記ハウジングから離れることが可能な離脱位置に移動可能にされる、ことを特徴とする窓ブラインドの制御装置。
【請求項２】
前記後側取付座は、前記後側取付座の前壁面より後ろ側に窪んで傾斜状に形成された凹部を有し、
前記ローラーは、前記操作コードが装着された本体と、前記凹部に対応して嵌合可能に前記本体の前記後側取付座側の後面からテーパー状に突き出るように形成された後側連結部とを有し、
前記後側連結部は、前記凹部と嵌合されると、前記ローラーが前記後側取付座に回転可能に着脱可能に連結される、
ことを特徴とする請求項１に記載の窓ブラインドの制御装置。
【請求項３】
前記後方連結部材は、前記前側取付座に摺動可能に装着され、前記後側取付座側の後側連結部を有し、
前記弾性部材は、前記前側取付座に配置され、前記後向きの弾力を与えて前記後方連結部材の前方に当接するように構成され、
前記ローラーは更に、前記ローラーと前記後方連結部材とが同期して回転可能に且つ離脱可能にされるために、前記後側連結部と連結されるように前記本体の前記前側取付座側の前面に形成された前側連結部を有する、
ことを特徴とする請求項２に記載の窓ブラインドの制御装置。
【請求項４】
前記前側取付座は、前記軸に沿って延伸される管部を有し、
前記前方連結部材は、前記管部に回転可能に設けられ、
前記後方連結部材は更に、前記後側連結部よりも前方へ延びる前側連結部を有し、前記前側連結部は、前記前方連結部材に対して回転すると共に枢動可能にされるように前記前方連結部材と同軸に且つ摺動可能に連結されている、ことを特徴とする請求項３に記載の窓ブラインドの制御装置。
【請求項５】
前記前方連結部材は、前記管部に接する径大部と、その間に肩部を形成するように前記径大部から後向きに延伸されるステム部と、を有し、
前記ステム部は、非円形状の断面を有し、
前記前側連結部には、前記前側連結部の前端よりも後方へ延伸される管状孔が設けられ、前記管状孔は、前記ステム部が嵌入されて同期して回転可能に構成される、ことを特徴とする請求項４に記載の窓ブラインドの制御装置。
【請求項６】
前記弾性部材は、前記ステム部を取り囲むように装着され、前記ステム部の前記肩部と前記前側連結部の前端の面とに当接される両端部を有する、ことを特徴とする請求項５に記載の窓ブラインドの制御装置。
【請求項７】
更に懸垂ユニットを有し、前記懸垂ユニットは、前記ハウジングと前記ローラーの間に連結され、前記離脱位置にて前記ローラーが前記ハウジングから離脱された時、前記ハウジングの下側に垂れ下がるように前記ローラーを支持して設けられている、ことを特徴とする請求項２に記載の窓ブラインドの制御装置。
【請求項８】
前記ローラーは更に、前記本体及び前記後側連結部の間に連結されたネック部を有し、
前記懸垂ユニットは、前記本体と前記後側連結部の間で枢動可能に前記ネック部と係着された保持部材と、前記保持部材と前記ハウジングの間に連結されたロープとを有する、ことを特徴とする請求項７に記載の窓ブラインドの制御装置。
【請求項９】
前記前側連結部には、前記本体の前面から前記軸の後向きにテーパー状に延伸される凹面が形成され、前記凹面の前記本体側の周囲に互いに離間して放射状に窪んでぎざぎざ状に繋がれる複数の窪みが設けられ、
前記後側連結部は、前記前側連結部の凹面に保持されるように前記軸に沿って後方へ傾斜して形成された保持突起と、前記窪みに保持されるように前記保持突起よりも径方向の外向きに延伸される複数の駆動突起と、を有する、ことを特徴とする請求項３に記載の窓ブラインドの制御装置。
【考案の詳細な説明】
【技術分野】
【０００１】
本考案は、ブラインド用の制御装置に関し、特に窓ブラインドのシャフトの回転を制御する窓ブラインドの制御装置に関する。
【背景技術】
【０００２】
図１と図２は、従来の窓ブラインドの安全制御装置の一例を説明する。ここで、図１は従来のローラーブラインドの制御装置の一例を概略的に示す断面図である。また、図２は、図１の制御装置の動作状態を示す図である。
【０００３】
この従来例に係る安全制御装置は、シャフト９７を回動駆動するように適用され、概ねハウジング９１と、ハウジング９１に配置されたローラー９２と、前後方向に移動可能且つローラー９２と同期して回動可能に設けられると共にハウジング９１の後壁とローラー９２の間に配置されたスライダ９３と、スライダ９３及びハウジング９１の後壁の間に配置されたばね９４と、シャフト９７が連動されるように用いられローラー９２と同期して回転可能に設けられると共にハウジング９１の後壁とローラー９２の間に配置された支持部材９５と、ローラー９２を回動させるためにローラー９２に巻き付けられるよう設けられたビーズコード９６等を備えている（例えば特許文献１参照）。
【０００４】
このような窓ブラインドの安全制御装置は、万が一子供が誤ってビーズコード９６に絡まって危険な目に遭った場合でも、ビーズコード９６が強く引っ張られて、ローラー９２がハウジング９１から下方へ移動することにより離脱するので、ビーズコード９６が弛むことができる。こうして安全性の向上を図ることができる。
【０００５】
なお、このような窓ブラインドの安全制御装置は、例えば特許文献２〜５等にも開示されている。
【先行技術文献】
【特許文献】
【０００６】
【特許文献１】国際公開第２０１５／１７４８２７号パンフレット
【特許文献２】欧州特許出願公開第１３１９７９３号明細書
【特許文献３】米国特許第８３３６５９８号明細書
【特許文献４】米国特許出願公開第２０１１／００４８６５７号明細書
【特許文献５】米国特許出願公開第２０１２／００１７３９９号明細書
【考案の概要】
【考案が解決しようとする課題】
【０００７】
従来の窓ブラインドの安全制御装置では、ローラー９２がばね９４の弾力でその前側と後ろ側が支持部材９５とスライダ９３に弾性的に支持され、また、支持部材９５とスライダ９３とはハウジング９１に対して前後方向に移動可能になっている。このため、ハウジング９１と支持部材９５とスライダ９３とを組み立てるための遊びが必要となる。そのため、ローラー９２と、支持部材９５と、スライダ９３とを組み立てる際に、この遊びが原因となってがたつく場合があり不安定となるので、ローラー９２にトルクを伝達することに悪影響を及ぼし、制御することが難しくなる。
【０００８】
本考案は、上記事情を考慮してなされたものであり、使用安全性の向上を図ることができる窓ブラインドの制御装置を提供することを目的とする。
【課題を解決するための手段】
【０００９】
上記目的を達成するために、本発明は、窓ブラインドのシャフトの前後方向に沿う軸を中心としての回転を駆動制御する制御装置であって、前記前後方向に互いに離間して配置される前側取付座と後側取付座とを有するハウジングと、前記前側取付座と前記後側取付座との間に前記軸を中心として回転可能に配置され、前記後側取付座に解除可能且つ回転可能に連結されたローラーと、前記ローラーを前記軸を中心として回転させるように前記ローラーにループ状に取り付けられた操作コードと、前記前側取付座と前記ローラーとの間に回転可能に配置された連結機構であって、前記シャフトを回転させるように前記シャフトと連結されて設けられた前方連結部材と、前記ローラーと連結された後方連結部材と、前記後方連結部材に前記軸に沿った後向きの弾力を与える弾性部材とを有し、前記後方連結部材が前記弾性部材による弾力によって前記前方連結部材に対して前記軸に沿って移動可能に、且つ、前記ローラーとの連結が解除可能にされ、また、前記後方連結部材が回転され、前記軸に沿って移動可能且つ前記軸を中心として回転不能にされていることにより、前記ローラーが回転する際、前方連結部材が連動するよう同期して回転される前記連結機構と、を備え、前記連結機構は、前記ローラーが前記ハウジングに対して連結され、前記操作コードに下方への引き力が付与された時、前記操作コードによって前記ローラーが回転され、前記ローラーの回転で前記連結機構と前記シャフトが連動して回転する前記ローラーが前記ハウジングに配置された駆動位置から、前記後方連結部材が前記弾性部材による後向き弾力に抗して前記前方連結部材へ前方に動かされ、前記後方連結部材、前記後側取付座及び前記ローラーの連結が解除され、前記ローラーが前記ハウジングから離れることが可能な離脱位置に移動可能にされる、ことを特徴とする窓ブラインドの制御装置を提供する。
【考案の効果】
【００１０】
本考案に係る窓ブラインドの制御装置では、弾性部材によって後方連結部材、後側取付座、ローラー等は緊密に連結されて組み合わせられるので、がたつきが生じにくく安定して組み立てられる。また、例えば子供が遊んでいる最中に誤って首などに操作コードが巻きついて過大な力で引っ張られてしまった場合でも、ローラーが下方へ引っ張られ、弾性部材による後向き弾力に抗して後方連結部材が前方連結部材が位置する前方へ動かされ、後方連結部材と後側取付座とでローラーとの連結が解除されるので、ローラーがハウジングから離脱できる。また、後方連結部材は前方へ移動することによって、ローラー及び操作コードが下向きに移動されるスペースを開けることができ、ハウジングから離脱することが可能となるので、例えば子供がコードが巻きついた危険な状態から自力で免れることができる。
【００１１】
本考案の他の特徴および利点は、添付の図面を参照する以下の実施形態の詳細な説明において明白になるであろう。
【図面の簡単な説明】
【００１２】
【図１】従来のローラーブラインドの制御装置の一例を概略的に示す断面図である。
【図２】図１の制御装置の動作状態を示す図である。
【図３】本考案に係る窓ブラインドの制御装置の一例を示す分解斜視図である。
【図４】図１の組立斜視図である。
【図５】ハウジングがマウントに固定された状態を示す背面図である。
【図６】図５の線ＶＩ−ＶＩの断面図で、ローラーが駆動位置にある状態を示す。
【図７】ローラーと懸垂ユニットとの連結状態を拡大して示す縦断面図である。
【図８】ハウジングがマウントに係合された状態を示す背面図である。
【図９】図５の線ＩＸ−ＩＸの断面図である。
【図１０】ローラーを下向きに引いた時の状態を示す図である。
【図１１】ローラーが離脱位置にある状態を示す図である。
【考案を実施するための形態】
【００１３】
以下、本考案に係る窓ブラインドの制御装置の一例について図面を参照して説明する。ここで、図３は本考案に係る窓ブラインドの制御装置の一例を示す分解斜視図であり、図４は図１の組立斜視図であり、図５はハウジングがマウントに固定された状態を示す背面図である。
【００１４】
本考案に係る制御装置は、例えばローラーブラインド、ローマンブラインド、ベネチアンブラインド等の窓ブラインドに用いられるものである。図示のように、窓ブラインドは概ね前後方向に沿う軸Ｘを中心として回転するシャフト９００を含む。シャフト９００は、回転可能に制御装置と連結され、図３に示すように前側の端部には六角形状の断面を有する連結孔９０１が形成されている。本例の制御装置は、窓ブラインドのブラインド（図示せず）を巻き上げるため又は降ろすためにシャフト９００の回転を制御するように配置される。また、制御装置は、マウント１、ハウジング２、ローラー５、操作コード６、連結機構７及び懸垂ユニット８を備えている。
【００１５】
マウント１は、天井や壁等に例えばねじ留め等により固定されるように適用され、メイン孔１１と、複数、例えば４つの補助孔１２とが形成されている。メイン孔１１は、マウント１の略中央に形成されると共に前後方向と直交する上下方向と左右方向のそれぞれに沿って延伸するように画成された一対のロック部１１１、１１１が交差することにより略十字形状に形成されている。補助孔１２は、上下方向に延伸するロック部１１１と平行となるようにマウント１の左右両側にそれぞれ一つずつ形成されると共に、左右方向に延伸するロック部１１と平行となるようにマウント１の上下両側にもそれぞれ一つずつ形成されることにより、合計４個形成されている。
【００１６】
ハウジング２は、スナップフィット結合によってマウント１に配置され、互いに前後方向に離間して配置される前側取付座３と後側取付座４とを有する。
【００１７】
前側取付座３は、前後方向と直交する方向に放射状に延伸して略円環状に形成された前方直立壁３１と、軸Ｘに沿って前方直立壁３１の内周縁から前側に延伸する円筒状の管部３２とを有する。また、前側取付座３には、前方直立壁３１の内周縁から管部３２側に窪んで前方装着領域３３を画成している中央壁部３１１が形成される。
【００１８】
後側取付座４は、前方直立壁３１と対向し軸Ｘを中心に略円盤状に形成された後方直立壁４１と、前方直立壁３１と連結するように該後方直立壁４１の上側の外周縁から前側に突き出るように延伸するアーク状の連結壁４２とを含み、後方直立壁４１及び連結壁４２によって後方装着領域４３が画成されている。連結壁４２が後方直立壁４１の上側の外周縁から突き出ているので、前側取付座３は上方向への動きが制限され、後側取付座４と前側取付座３を当接させた際は、前側取付座３は下方向にのみ移動できる。前側取付座３と後側取付座４は、この例では、別体で製作して組み立てられるが、一体的に作られても良く、上記の例に制限されない。
【００１９】
後方直立壁４１は、着脱可能にマウント１に取り付けられ、図３に示すように、その中央に前側から後側にかけて次第に径が小さくなるよう傾斜して略すり鉢に形成された凹部４１２が形成される。また、後方直立壁４１は、図４に示すように、後方直立壁４１のマウント１側から後向きに突き出るように延伸した主突起４１３と、主突起４１３の左右両側に後方直立壁４１の後側から突き出るように延伸した一対の補助突起４１４を含んでいる。
【００２０】
主突起４１３は、後方直立壁４１のマウント１側の面から後向きに延伸する水平部４１６と、水平部４１６から下向きに延伸する垂直部４１７とを含み、全体として略Ｌ字型に形成される。
【００２１】
各補助突起４１４は、後方直立壁４１のマウント１側の面から後向きに延伸する保持部４１８と、後方直立壁４１のマウント１側の面と連結されるように保持部４１８から上向きに延伸する段差部４１９とを含んでいる。前側取付座３と後側取付座４とをねじ締め等で組み付けてハウジング１が組み立てられると、前方装着領域３３及び後方装着領域４３によって形成された空間にローラー５、操作コード６、連結機構７及び懸垂ユニット８等を装着する。
【００２２】
次に、図３、図６、及び図７を参照してローラー５について説明する。ここで、図６は図５の線ＶＩ−ＶＩの断面図で、ローラーが駆動位置にある状態を示すものであり、図７はローラーと懸垂ユニットとの連結状態を拡大して示す縦断面図である。
【００２３】
ローラー５は、図３に示すように、前側取付座３と後側取付座４との間に配置され、例えば図６及び図７に示すように、前側取付座３又は後側取付座４と対向するように配置され操作コード６が装着されたリムを有し、前後方向に対して直交する方向に設けられる略円環状の本体５１と、本体５１の前側取付座３側の中央に形成された前側連結部５２と、本体５１の後側取付座４側の面の中央からテーパー状に突き出て形成された後側連結部５３（図６）と、本体５１と後側連結部５３の間に連結されて後側へ延伸したネック部５４（図７）とを含んでいる。
【００２４】
前側連結部５２には、その前端側が幅広にされるように本体５１の前面から後向きにテーパー状に延伸する凹面５２１が形成され、凹面５２１の本体５１側の周囲に互いに離間して放射状に窪んでぎざぎざ状に繋がれる複数の窪み５２２が設けられている。
【００２５】
後側連結部５３は、凹部４１２に嵌合されるように設けられ、後側連結部５３が凹部４１２と嵌合されると、ローラー５が後側取付座４に回転可能に且つ着脱可能に連結される。こうして、ローラー５が軸Ｘをもってハウジング２に対して回転可能に構成される。
【００２６】
操作コード６は、引く操作を経て軸Ｘを中心としてローラー５を回すように、ローラー５に巻き付けられ、この例では、無端ループ状に繋がっている複数のビーズ６１を有する。本体５１の周縁にはローラー５を回すためのトルクを送るように操作コード６の複数のビーズ６１が嵌入されるビード溝５１２（図３）が設けられている。
【００２７】
連結機構７は、前側取付座３及びローラー５の間に回転可能に配置され、例えば図３、図６に示すように、シャフト９００を回転させるように連結して設けられ、管部３２に回転可能に配置されると共に前後方向に延伸する前方連結部材７１と、前後方向に摺動可能に管部３２に配置された後方連結部材７２と、前側取付座３及び前方連結部材７１、後方連結部材７２の間に配置された弾性部材７３とを有する。
【００２８】
特に、前方連結部材７１は、管部３２の内壁と当接する径大部７１１と、その間に肩部７１４を形成するように径大部７１１から後向きに延伸されるステム部７１２と、シャフト９００の連結孔９０１に嵌合されるように径大部７１１よりも前方へ延伸し六角形状に形成されたヘッド部７１３と、を有し、管部３２に回転可能に設けられている。ステム部７１２は、例えば四角形状等の非円形状の断面を有する。
【００２９】
後方連結部材７２は、後方直立壁４１の前側に当接するよう略円盤状に形成された後側連結部７２１と、後側連結部７２１よりも前方へ延伸し略円筒状に形成された前側連結部７２２とを有し、前側連結部７２２は、前方連結部材７１に対して回転すると共に枢動可能にされるようにステム部７１２と同軸に且つ摺動可能に連結されている。
【００３０】
後側連結部７２１は、前側連結部５２の凹面５２１に保持されるように軸Ｘに沿って後方へ傾斜して形成された保持突起７２３と、窪み５２２に保持されるように保持突起７２３よりも径方向の外向きに延伸される複数の駆動突起７２４と、を有する。
【００３１】
駆動突起７２４が窪み５２２によって保持されるように配置されていることによって、後方連結部材７２がローラー５と同期的にして回転することができる。
【００３２】
前側連結部７２２は、内部に四角形状の管状孔７２５が画成されているので、同じく四角形状のステム部７１２が嵌入されたときに互いに噛み合って同期して回転可能となる。
【００３３】
この例では、管状孔７２５は、四角形状の断面を有するが、これに限らず、その断面が非円形状であればよく、例えば三角形状、六角形状又は楕円形状であってもよく、要するに、ステム部７１２の形状と一致して両者が噛み合えば差し支えない。
【００３４】
弾性部材７３は、例えば圧縮ばねであり、ステム部７１２を取り囲むように装着され、ステム部７１２の肩部７１４と前側連結部７２２の前端に形成された面とに当接される両端部を有し、前方連結部材７１に対して軸Ｘに沿った後方への弾力を後方連結部材７２に与えるように構成されている。なお、弾性部材７３は、ゴム体であってもよく、上記の例に制限されない。
【００３５】
ヘッド部７１３は、六角形状の断面を有し、シャフト９００の連結孔９０１に嵌合されると、トルクを伝える。なお、ヘッド部７１３及び連結孔９０１は、互いに対応して六角形状の断面を有するが、その断面の形状はこれに限らず、例えば三角形状や、四角形状、五角形状、楕円形状であってもよい。
【００３６】
図３に示すように、懸垂ユニット８は、ローラー５とハウジング２の後側取付座４の間に連結され、図６に示すように、ローラー５がハウジング２から離脱された時ハウジング２の下側に垂れ下がるようにローラー５を支持して設けられ、この例では、本体５１と後側連結部５３の間に枢動可能にローラー５のネック部５４と係着されて設けられた保持部材８１と、留め具８２を使って保持部材８１と後側取付座４の間に連結されたロープ８３とを有する。
【００３７】
図３、図７に示すように、保持部材８１は、一例としては、平板が用いられ、後側連結部５３と本体５１の間でネック部５４に保持されて旋回可能なサイズを有する略円形状のピボット孔８１１が設けられている。
【００３８】
次に、図５、図６、図８、図９を参照して本実施例に係る窓ブラインドの制御装置の組立て方法について説明する。ここで、図８はハウジングがマウントに係合された状態を示す背面図であり、図９は図５の線ＩＸ−ＩＸの断面図である。
【００３９】
例えば天井に固定されたマウント１に主突起４１３と補助突起４１４を介してハウジング２が取り付けられる。図８と図９に示されているように、主突起４１３と補助突起４１４の保持部４１８をそれぞれメイン孔１１と補助孔１２に対応して嵌入し、図９の段差部４１９がマウント１に当接される。ハウジング２を下側に移動させると図５に示された状態になり、垂直部４１７がメイン孔１１の下縁に当たって係着されて定位される（図６）。こうして、制御装置の前後方向への移動が制限される。また、段差部４１９が補助孔１２の上縁に当たって係着されて位置決めされる（図９）。こうして、制御装置の上方向への移動が制限される。
【００４０】
上記のように、マウント１の補助孔１２に対応して保持部４１８と段差部４１９が嵌合する形状に形成されているので、図９に示すように保持部４１８と段差部４１９が補助孔１２に係入されると、補助孔１２によって上下左右に動かないように定位される。このように、ハウジング２がマウント１に強固に連結されて位置決めされることによって、本実施例の制御装置はマウント１に安定して装着されることができる。
【００４１】
なお、主突起４１３は、ハウジング２に係着されるようにメイン孔１１のロック部１１１の上縁に当たって係止される段差部を形成してもよい。
【００４２】
マウント１にロック部１１１によって画成されたメイン孔１１と補助孔１２が形成されていることにより、マウント１は、軸Ｘを中心として９０度だけ回って例えば元の壁面に対して垂直に取り付けられても安定して固定されることができる。従って、本例の制御装置は、異なる配置のカーテン、ブラインド等に適用して取り付けられることが可能である。
【００４３】
上記のように構成された窓ブラインドの制御装置についての動作及び作用について図３、図６、図１０及び図１１を参照して説明する。ここで、図１０はローラーを下向きに引いた時の状態を示す図であり、図１１はローラーが離脱位置にある状態を示す図である。
【００４４】
本例に係る窓ブライドの制御装置は、図３、図６、図１０及び図１１に示すように、操作コード６を引くと、ローラー５と連結機構７が回される。ローラー５と連結機構７とが回動されると、シャフト９００が同期して連動するよう回転される。これによって、窓ブラインドが繰り出された展開状態と引き戻された巻取状態との間で操作制御可能になる。
【００４５】
より具体的に説明すると、操作コード６に適用する十分な引く力によって操作コード６を下向きに引くと、ローラー５がハウジング２に対して、ハウジング２に位置された駆動位置（図６）からハウジング２から離れた離脱位置（図１１）へ動かされる。とりわけ、図６の駆動位置では、ローラー５が後方連結部材７２と後側取付座４の間に挟まれているので、後側連結部５３が凹部４１２に着脱可能に係着される。
【００４６】
後側連結部５３が凹部４１２に係着されると、前側連結部５２が連結機構７と同期して回動するよう連結される。また、前側連結部５２に駆動突起７２４が係合されると、ローラー５が連結機構７に対して回動されないことになる。
【００４７】
例えばユーザーが操作コード６を引き、ローラー５が軸Ｘを中心として回転すると、連結機構７が連動するように回転される。これによって、シャフト９００が回されて窓ブラインドが巻き取られたり繰り出されたりすることができる。
【００４８】
例えば子供が遊んでいる最中に子供の首に操作コード６が誤って巻きついて大きな力で引っ張られたときでも、図１０のように、ローラー５が下向きに引っ張られ、後方連結部材７２が弾性部材７３による後向き弾力に抗して前方連結部材７１へ前方に動かされ、後方連結部材７２と後側取付座４とでローラー５との連結が解除される。これによって、ローラー５がハウジング２から離脱できる。
【００４９】
後方連結部材７２は前方へ移動することによって、ローラー５及び操作コード６が下向きに移動されるスペースを開けることができてハウジング２から離脱することが可能となる。これによって、例えば子供の首にコードが巻きついた危険な状況からでも自力で免れることができる。そして、ローラー５はハウジング２から離脱しても、懸垂ユニット８によって吊られているので、操作ロード６が突如下方に落ちて子供に負傷させるのを防止することができる。また、懸垂ユニット８のロープ８３は、ローラー５が離脱して下ろされても地面と所定の距離だけ離れ、下に立っている子供に当たらない長さを有するように設計され、例えば、下ろされたローラー５を懸垂するように保持できる長さとなるよう構成されるとよい。
【００５０】
上記のように構成された本例に係る窓ブラインドの制御装置は、窓ブラインドに設けられて用いられると、駆動位置にて、ローラー５の前側を保持している連結機構７が可動部材として、また、ローラー５の後側に配置された後側取付座４が固定部材としてそれぞれ用いられるので、ローラー５の前側を可動支持点とし、後側が固定支持点として用いられることができる。このように、ローラー５と連結機構７が安定的且つ強固に回転され、ローラー５が引っ張られる力を抑えて安定化することができる。
【００５１】
また、後側取付座４の凹部４１２にローラー５の後側連結部５３が係入されて接合されることによって、ローラー５が後側取付座４に装着されるための遊びを設ける必要がなくなり、後側取付座４に対してがたつくことなく緊密して装着することができる。
【００５２】
以上、本考案の好ましい実施形態を説明したが、本考案はこれに限定されるものではなく、その要旨を逸脱しない範囲で種々変更可能であることはいうまでもない。
【産業上の利用可能性】
【００５３】
本考案に係る窓ブラインドの制御装置は、ローラーブラインド、ローマンブラインド、ベネチアンブラインド等の窓ブラインドのシャフトの回転を制御する制御装置に適用される。
【符号の説明】
【００５４】
１  マウント
１１  メイン孔
１１１  ロック部
１２  補助孔
２  ハウジング
３  前側取付座
３１  前方直立壁
３１１  中央壁部
３２  管部
３３  前方装着領域
４  後側取付座
４１  後方直立壁
４１２  凹部
４１３  主突起
４１４  補助突起
４１６  水平部
４１７  垂直部
４１８  保持部
４１９  段差部
４２  連結壁
４３  後方取付領域
５  ローラー
５１  本体
５１２  ビード溝
５２  前側連結部
５２１  凹面
５２２  窪み
５３  後側連結部
５４  ネック部
６  操作コード
６１  ビーズ
７  連結機構
７１  前方連結部材
７１１  径大部
７１２  ステム部
７１３  ヘッド部
７１４  肩部
７２  後方連結部材
７２１  後側連結部
７２２  前側連結部
７２３  保持突起
７２４  駆動突起
７２５  管状孔
７３  弾性部材
８  懸垂ユニット
８１  保持部材
８１１  ピボット孔
８２  止め具
８３  ロープ
９００  シャフト
９０１  連結孔
９１  ハウジング
９２  ローラー
９３  スライダー
９４  ばね
９５  支持部材
９６  引き紐
９７  シャフト
【図１】
0003215259.tif 000003
【図２】
0003215259.tif 000004
【図３】
0003215259.tif 000005
【図４】
0003215259.tif 000006
【図５】
0003215259.tif 000007
【図６】
0003215259.tif 000008
【図７】
0003215259.tif 000009
【図８】
0003215259.tif 000010
【図９】
0003215259.tif 000011
【図１０】
0003215259.tif 000012
【図１１】
0003215259.tif 000013